【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
画素単位の光強度差の情報によってビットデータが配列された信号光と、参照光とが干渉して上記信号光に応じたホログラムページが記録されたホログラム記録媒体について再生を行う再生装置であって、
上記ホログラム記録媒体に記録された上記ホログラムページについての再生像を得るにあたって照射されるべき上記参照光を生成する参照光生成手段と、
強度が上記再生像の振幅の最小値の絶対値よりも大きく、位相が上記再生像内の基準位相と同位相となるコヒーレント光を生成するコヒーレント光生成手段と、
入射像を画素単位で受光して画像信号を得るイメージセンサと、
上記参照光を上記ホログラム記録媒体に導くと共に、上記参照光の照射に応じて上記ホログラム記録媒体から得られる上記再生像と、上記コヒーレント光とを上記イメージセンサに対して導くように構成された光学系とを備え、且つ、
上記再生像中において１データビット分の情報を表す１データピクセル分の像を上記イメージセンサ側の何画素分の領域で受光するかの割合を表すオーバーサンプリングレートが、少なくとも１よりも大となるようにして上記イメージセンサの画素数及び上記光学系が調整されていると共に、
上記イメージセンサによる受光動作に基づき得られた画像信号を入力し、該画像信号を構成する各値の平方根を計算する平方根計算手段と、
上記平方根計算手段による平方根計算結果としての画像信号から上記コヒーレント光の成分を除去する除去手段と、
上記除去手段による除去処理後の画像信号から上記再生像に含まれる各データピクセルの位置を特定するピクセル位置特定手段と、
上記ピクセル位置特定手段により特定された各データピクセルの位置の情報に基づき、上記画像信号中における各データピクセル位置での振幅値を取得するピクセル振幅値取得手段と、
上記ピクセル振幅値取得手段により取得された各データピクセル位置での振幅値に基づき、記録データを再生する再生手段と
を備える再生装置。
【請求項２】
請求項１に記載の再生装置において、
上記除去手段は、
上記平方根計算結果から上記コヒーレント光の強度に応じた値を減算して上記コヒーレント光の成分を除去する。
【請求項３】
請求項２に記載の再生装置において、
上記ホログラムページ内には、所定の複数位置に対して所定データパターンによるシンクデータが挿入されており、
上記ピクセル位置特定手段は、
上記除去手段による除去処理後の画像信号中における上記所定データパターンと相関性を有する位置を探索して上記画像信号中における各シンクデータの挿入位置を特定すると共に、該特定した各シンクデータの位置に基づいて各データピクセルの位置を特定する。
【請求項４】
請求項３に記載の再生装置において、
上記ピクセル位置特定手段は、
各シンクデータの挿入位置を特定するにあたり、特定対象とするシンクデータの挿入位置を基準として選出した複数のシンクデータを上記画像信号中における所定範囲内にて一体的に動かしたときの各シンクデータ位置での相関性検出を行い、その結果最も相関性を有するとされた位置を上記特定対象とするシンクデータの挿入位置として特定する。
【請求項５】
請求項４に記載の再生装置において、
上記画像信号中に含まれるすべてのデータピクセルの位置が四方から上記シンクデータに囲まれるようにして上記シンクデータを外挿するシンク外挿手段をさらに備える。
【請求項６】
請求項５に記載の再生装置において、
上記ピクセル位置特定手段は、
特定対象とするデータピクセルの位置を取り囲む４つのシンクデータの位置と、上記記録フォーマットから推定される上記特定対象とするデータピクセルの位置とに基づく線形補間を行って、上記特定対象とするデータピクセルの位置を特定する。
【請求項７】
請求項６に記載の再生装置において、
上記ピクセル振幅値取得手段は、
対象とするデータピクセル位置の振幅値を、該対象とするデータピクセル位置を取り囲む４つの位置の振幅値を用いた線形補間により計算して取得する。
【請求項８】
請求項２に記載の再生装置において、
上記ピクセル位置特定手段は、
上記除去手段による除去処理後の画像信号中に含まれる二次元クロック情報を抽出した結果に基づき、各データピクセル位置の特定を行う。
【請求項９】
請求項８に記載の再生装置において、
上記ピクセル位置特定手段は、
上記除去手段による除去処理後の画像信号について２次元的なフーリエ変換を行って、上記画像信号中に含まれる平面波要素について周波数解析を行う解析処理と、
上記解析処理による解析結果に対して、第１の所定範囲内と第２の所定範囲内でそれぞれパワースペクトルのピーク部分の探索を行い、上記第１の所定範囲内で検出されたピーク部分に基づき特定される平面波の周期と位相と法線方向とを表す第１方向クロック情報と、上記第２の所定範囲内で検出されたピーク部分に基づき特定される平面波の周期と位相と法線方向とを表す第２方向クロック情報とを取得するクロック情報取得処理と
を行った上で、上記第１方向クロック情報と上記第２方向クロック情報とに基づき、上記画像信号中における各データピクセルの位置を特定する。
【請求項１０】
請求項９に記載の再生装置において、
上記除去手段により上記コヒーレント光の成分が除去された画像信号に対して微分処理を施す微分処理手段と、
上記微分処理手段により微分処理された上記画像信号に対して非線形処理を施す非線形処理手段とをさらに備え、
上記ピクセル位置特定手段による上記解析処理では、
上記非線形処理手段による非線形処理後の上記画像信号に対して上記２次元的なフーリエ変換を行う。
【請求項１１】
請求項１０に記載の再生装置において、
上記非線形処理手段は、
上記非線形処理として、上記画像信号の絶対値をとる、又は２乗値をとる処理を実行する。
【請求項１２】
請求項１１に記載の再生装置において、
上記ピクセル位置特定手段は、
上記クロック情報取得処理として、
上記第１の所定範囲内で検出されたピーク部分に基づく成分に対して逆フーリエ変換を行って実画像に変換した第１方向２次元クロック画像を上記第１方向クロック情報として取得し、また、上記第２の所定範囲内で検出されたピーク部分に基づく成分に対して逆フーリエ変換を行って実画像に変換した第２方向２次元クロック画像を上記第２方向クロック情報として取得すると共に、
上記第１方向２次元クロック画像が表す第１方向の周期ラインと、上記第２方向２次元クロック画像が表す第２方向の周期ラインとを抽出し、各周期ラインが交わる各格子点を求めた上で、それら各格子点の位置に基づいて各データピクセルの位置を特定する。
【請求項１３】
請求項１２に記載の再生装置において、
上記ピクセル位置特定手段は、
上記クロック情報取得処理として、
上記第１の所定範囲内で検出されたピーク部分の中心成分とその近傍成分とを含めた成分に対して逆フーリエ変換を行って得られた実画像を上記第１方向２次元クロック画像として取得し、また、上記第２の所定範囲内で検出されたピーク部分の中心成分とその近傍の成分とを含めた成分に対して逆フーリエ変換を行って得た実画像を上記第２方向２次元クロック画像として取得すると共に、
上記第１方向２次元クロック画像が表す第１方向の周期ラインと、上記第２方向２次元クロック画像が表す第２方向の周期ラインとを抽出し、各周期ラインが交わる各格子点を求めた上で、それら各格子点の位置に基づいて各データピクセルの位置を特定する。
【請求項１４】
請求項１３に記載の再生装置において、
上記微分処理手段は、
上記除去手段により上記コヒーレント光の成分が除去された画像信号について、それぞれ第１方向微分処理と第２方向微分処理とを行い、
上記非線形処理手段は、
上記第１方向微分処理後の画像信号に対して非線形処理を施す第１方向非線形処理と、上記第２方向微分処理後の画像信号に対して非線形処理を施す第２方向非線形処理とを行い、
上記ピクセル位置特定手段は、
上記解析処理として、
上記非線形処理手段による上記第１方向非線形処理後の画像信号と上記第２方向非線形処理後の画像信号とについて、それぞれ個別に上記２次元的なフーリエ変換を施し、
さらに上記クロック情報取得処理として、
上記解析処理により得られた上記第１方向非線形処理後の画像信号についての解析結果に基づき上記第１方向クロック情報を取得し、上記解析処理に得られた上記第２方向非線形処理後の画像信号についての解析結果に基づき上記第２方向クロック情報を取得する。
【請求項１５】
請求項１４に記載の再生装置において、
上記ホログラムページ内には、ページシンクとしての予め定められた所定のデータパターンが挿入されており、
上記再生手段は、
上記ピクセル振幅値取得手段により取得された各データピクセルの振幅値と上記ページシンクとしての所定のデータパターンとに基づいて上記画像信号中における上記ページシンク位置の探索を行った結果に基づき、各データピクセルの記録フォーマット上での位置を特定すると共に、該特定した各データピクセルの記録フォーマット上での位置の情報と各データピクセルの振幅値の情報とに基づき、記録されたデータを再生する。
【請求項１６】
請求項１５に記載の再生装置において、
上記ページシンクは複数挿入されており、
上記再生手段は、
それら複数のページシンクを一体のページシンクとして探索を行った結果に基づき各データピクセルの記録フォーマット上での位置を特定する。
【請求項１７】
請求項１６に記載の再生装置において、
上記ピクセル位置特定手段による上記クロック情報取得処理では、
上記信号光の生成にあたり画素単位による空間光変調を施した空間光変調器のＸ方向とＹ方向の画素数と、上記イメージセンサにおけるＸ方向とＹ方向のサンプリングレートとに基づいてそれぞれ推定されるＸ方向のクロック周波数、Ｙ方向のクロック周波数を基準としてそれぞれ設定された上記第１の所定範囲内と上記第２の所定範囲内において、それぞれクロック情報を得るためのピーク部分の探索を行う。
【請求項１８】
請求項１７に記載の再生装置において、
上記ピクセル振幅値取得手段は、
上記ピクセル位置特定手段により特定されたデータピクセルの位置の周辺の値を用いた補間処理を行って各データピクセルの振幅値を計算により取得する。
【請求項１９】
請求項３又は請求項８に記載の再生装置において、
上記除去手段により上記コヒーレント光の成分が除去された画像信号を線形補間により所定倍率にアップコンバートするアップコンバート手段をさらに備える。
【請求項２０】
画素単位の光強度差の情報によってビットデータが配列された信号光と、参照光とが干渉して上記信号光に応じたホログラムページが記録されたホログラム記録媒体についての再生を、入射像を画素単位で受光して画像信号を得るイメージセンサを用いて行う再生方法であって、
上記ホログラム記録媒体に記録された上記ホログラムページについての再生像を得るにあたって照射されるべき上記参照光を生成する参照光生成手順と、
強度が上記再生像の振幅の最小値の絶対値よりも大きく、位相が上記再生像内の基準位相と同位相となるコヒーレント光を生成するコヒーレント光生成手順と、
上記参照光生成手順により生成した上記参照光が照射されることに応じて上記ホログラム記録媒体から得られる上記再生像と、上記コヒーレント光生成手順により生成した上記コヒーレント光とを、上記再生像中において１データビット分の情報を表す１データピクセル分の像を上記イメージセンサ側の何画素分の領域で受光するかの割合を表すオーバーサンプリングレートが少なくとも１よりも大となる状態で上記イメージセンサにより受光する受光手順と、
上記受光手順により上記イメージセンサで得られた画像信号を入力し、該画像信号を構成する各値の平方根を計算する平方根計算手順と、
上記平方根計算手順による平方根計算結果としての画像信号から上記コヒーレント光の成分を除去する除去手順と、
上記除去手順による除去処理後の画像信号から上記再生像に含まれる各データピクセルの位置を特定するピクセル位置特定手順と、
上記ピクセル位置特定手順により特定した各データピクセルの位置の情報に基づき、上記画像信号中における各データピクセル位置での振幅値を取得するピクセル振幅値取得手順と、
上記ピクセル振幅値取得手順により取得した各データピクセル位置での振幅値に基づき、記録データを再生する再生手順と
を備える再生方法。